(57)【要約】【課題】放射性固体廃棄物の最終処分場までの管理を確実に行うことができる放射性固体廃棄物管理システムおよび放射性固体廃棄物管理方法を提供する。【解決手段】放射性固体廃棄物管理システム１においては、放射性固体廃棄物を原子力発電所から輸送船により放射性廃棄物管理施設に運搬する際に、この放射性固体廃棄物の管理データおよびステータスが、発電所サーバ１０、輸送船サーバ４０および放射性廃棄物管理施設サーバ５０の少なくとも２つの記憶装置１５，４５，５５に、発電所サーバ１０、輸送船サーバ４０および放射性廃棄物管理施設サーバ５０のデータ処理部１１，４１，５１およびステータス処理部１２，４２，５２によってそれぞれ格納される。【選択図】  図１
2006349622.tif 000002
【特許請求の範囲】
【請求項１】
放射性固体廃棄物の発送元事業所に設けられた発送元事業所サーバ（１０）と、
該発送元事業所サーバと通信回線（６０）を介して相互に接続された、かつ、前記放射性固体廃棄物を輸送する輸送船に設けられた輸送船サーバ（４０）と、
前記発送元事業所サーバおよび前記輸送船サーバと前記通信回線を介して相互に接続された、かつ、放射性廃棄物管理施設に設けられた放射性廃棄物管理施設サーバ（５０）と、
を具備する放射性固体廃棄物管理システムであって、
前記発送元事業所サーバ、前記輸送船サーバおよび前記放射性廃棄物管理施設サーバがそれぞれ、
前記放射性固体廃棄物の管理データを処理するデータ処理部（１１，４１，５１）と、
前記発送元事業所サーバ、前記輸送船サーバおよび前記放射性廃棄物管理施設サーバにおける前記放射性固体廃棄物のステータスを処理するステータス処理部（１２，４２，５２）と、
前記放射性固体廃棄物の管理データおよびステータスを送受信するためのデータ送受信部（１３，４３，５３）と、
前記放射性固体廃棄物の管理データおよびステータスを格納するための記憶装置（１５，４５，５５）とを備え、
前記放射性固体廃棄物を前記発送元事業所から前記輸送船により前記放射性廃棄物管理施設に運搬する際に、前記放射性固体廃棄物の管理データおよびステータスが、前記発送元事業所サーバ、前記輸送船サーバおよび前記放射性廃棄物管理施設サーバの少なくとも２つの前記記憶装置に、該発送元事業所サーバ、該輸送船サーバおよび該放射性廃棄物管理施設サーバの前記データ処理部および前記ステータス処理部によってそれぞれ格納される、
ことを特徴とする、放射性固体廃棄物管理システム。
【請求項２】
前記発送元事業所サーバの前記データ処理部が、外部から入力される前記放射性固体廃棄物の管理データを該発送元事業所サーバの前記記憶装置に格納し、
前記発送元事業所において前記放射性固体廃棄物を前記輸送船に運搬するための発送処理がなされると、
前記発送元事業所サーバの前記ステータス処理部が、該発送元事業所サーバ、前記輸送船サーバおよび前記放射性廃棄物管理施設サーバおける前記放射性固体廃棄物のステータスを該発送元事業所サーバの前記記憶装置に格納し、
前記発送元事業所サーバの前記データ送受信部が、該発送元事業所サーバの前記記憶装置に格納されている前記放射性固体廃棄物の管理データおよびステータスを前記輸送船サーバおよび前記放射性廃棄物管理施設サーバに送信し、
前記輸送船サーバおよび前記放射性廃棄物管理施設サーバの前記データ処理部および前記ステータス処理部が、前記発送元事業所サーバから送信されてくる前記放射性固体廃棄物の管理データおよびステータスを、該輸送船サーバおよび該放射性廃棄物管理施設サーバの前記記憶装置にそれぞれ格納する、
ことを特徴とする、請求項１記載の放射性固体廃棄物管理システム。
【請求項３】
前記輸送船において該放射性固体廃棄物の受入処理がなされると、
前記輸送船サーバの前記データ処理部が、外部から入力される輸送船受入年月日データを前記放射性固体廃棄物の管理データに追加して該輸送船サーバの前記記憶装置に格納し、
前記輸送船サーバの前記ステータス処理部が、前記発送元事業所サーバ、前記輸送船サーバおよび前記放射性廃棄物管理施設サーバにおける前記放射性固体廃棄物のステータスをそれぞれ書き換えて、該輸送船サーバの前記記憶装置に格納し、
前記輸送船サーバの前記データ送受信部が、該輸送船サーバの前記記憶装置に格納されている前記放射性固体廃棄物の管理データおよびステータスを前記発送元事業所サーバおよび前記放射性廃棄物管理施設サーバに送信し、
前記発送元事業所サーバおよび前記放射性廃棄物管理施設サーバの前記データ処理部および前記ステータス処理部が、該発送元事業所サーバおよび該放射性廃棄物管理施設サーバの前記記憶装置にそれぞれ格納されている前記放射性固体廃棄物の管理データおよびステータスを、前記輸送船サーバから送信されてくる前記放射性固体廃棄物の管理データおよびステータスに書き換える、
ことを特徴とする、請求項１または２記載の放射性固体廃棄物管理システム。
【請求項４】
前記輸送船が前記放射性廃棄物管理施設に到着して前記放射性固体廃棄物の荷降し処理がなされると、
前記輸送船サーバの前記データ処理部が、外部から入力される輸送船荷降し年月日データを前記放射性固体廃棄物の管理データに追加して該輸送船サーバの前記記憶装置に格納し、
前記輸送船サーバの前記ステータス処理部が、前記発送元事業所サーバ、前記輸送船サーバおよび前記放射性廃棄物管理施設サーバにおける前記放射性固体廃棄物のステータスをそれぞれ書き換えて、該輸送船サーバの前記記憶装置に格納し、
前記輸送船サーバの前記データ送受信部が、該輸送船サーバの前記記憶装置に格納されている前記放射性固体廃棄物の管理データおよびステータスを前記発送元事業所サーバおよび前記放射性廃棄物管理施設サーバに送信し、
前記発送元事業所サーバおよび前記放射性廃棄物管理施設サーバの前記データ処理部および前記ステータス処理部が、該発送元事業所サーバおよび該放射性廃棄物管理施設サーバの前記記憶装置にそれぞれ格納されている前記放射性固体廃棄物の管理データおよびステータスを、前記輸送船サーバから送信されてくる前記放射性固体廃棄物の管理データおよびステータスに書き換える、
ことを特徴とする、請求項１乃至３いずれかに記載の放射性固体廃棄物管理システム。
【請求項５】
前記放射性廃棄物管理施設において前記放射性固体廃棄物の受入処理がなされると、
前記放射性廃棄物管理施設サーバの前記データ処理部が、外部から入力される受入先受入年月日データを前記放射性固体廃棄物の管理データに追加して該放射性廃棄物管理施設サーバの前記記憶装置に格納し、
前記放射性廃棄物管理施設サーバの前記ステータス処理部が、前記発送元事業所サーバおよび前記放射性廃棄物管理施設サーバにおける前記放射性固体廃棄物のステータスをそれぞれ書き換えるとともに、前記輸送船サーバにおける前記放射性固体廃棄物のステータスを削除して、該放射性廃棄物管理施設サーバの前記記憶装置に格納し、
前記放射性廃棄物管理施設サーバの前記データ送受信部が、該放射性廃棄物管理施設サーバの前記記憶装置に格納されている前記放射性固体廃棄物の管理データおよびステータスを前記発送元事業所サーバに送信するとともに、データ削除指示信号を前記輸送船サーバに送信し、
前記発送元事業所サーバの前記データ処理部および前記ステータス処理部が、該発送元事業所サーバの前記記憶装置に格納されている前記放射性固体廃棄物の管理データおよびステータスを、前記放射性廃棄物管理施設サーバから送信されてくる前記放射性固体廃棄物の管理データおよびステータスに書き換え、
前記輸送船サーバの前記データ処理部および前記ステータス処理部が、前記放射性廃棄物管理施設サーバから前記データ削除指示信号を受信すると、該輸送船サーバの前記記憶装置に格納されている前記放射性固体廃棄物の管理データおよびステータスを削除する、
ことを特徴とする、請求項１乃至４いずれかに記載の放射性固体廃棄物管理システム。
【請求項６】
前記放射性廃棄物管理施設サーバがデータチェック部（５４）をさらに備え、
前記放射性廃棄物管理施設において前記放射性固体廃棄物の受入処理がなされると、
前記データチェック部が、前記発送元事業所サーバに対して該発送元事業所サーバの前記記憶装置に格納されている前記放射性固体廃棄物の管理データおよびステータスを前記放射性廃棄物管理施設サーバに送信させたのち、該発送元事業所サーバから受信した前記放射性固体廃棄物の管理データおよびステータスと、該放射性廃棄物管理施設サーバの前記記憶装置に格納されている前記放射性固体廃棄物の管理データおよびステータスとの突合せチェックを行う、
ことを特徴とする、請求項１乃至５いずれかに記載の放射性固体廃棄物管理システム。
【請求項７】
前記放射性廃棄物管理施設における前記放射性固体廃棄物の受入後に、前記放射性廃棄物管理施設サーバまたは前記発送元事業所サーバが、該放射性廃棄物管理施設サーバの前記記憶装置に格納されている前記放射性固体廃棄物の管理データおよびステータスと該発送元事業所サーバの前記記憶装置に格納されている前記放射性固体廃棄物の管理データおよびステータスとの突合せチェックを定期的に行うことを特徴とする、請求項１乃至６いずれかに記載の放射性固体廃棄物管理システム。
【請求項８】
前記放射性固体廃棄物の運搬中に、前記放射性廃棄物管理施設サーバ、前記輸送船サーバおよび前記発送元事業所サーバの少なくとも２つがそれぞれ、該放射性廃棄物管理施設サーバの前記記憶装置に格納されている前記放射性固体廃棄物の管理データおよびステータスと、該輸送船サーバの前記記憶装置に格納されている前記放射性固体廃棄物の管理データおよびステータスと、該放射性廃棄物管理施設サーバの前記記憶装置に格納されている前記放射性固体廃棄物の管理データおよびステータスとの突合せチェックを任意に行うことを特徴とする、請求項１乃至７いずれかに記載の放射性固体廃棄物管理システム。
【請求項９】
放射性固体廃棄物の発送元事業所に設けられた発送元事業所サーバ（１０）と、該発送元事業所サーバと通信回線（６０）を介して相互に接続された、かつ、前記放射性固体廃棄物を輸送する輸送船に設けられた輸送船サーバ（４０）と、前記発送元事業所サーバおよび前記輸送船サーバと前記通信回線を介して相互に接続された、かつ、放射性廃棄物管理施設に設けられた放射性廃棄物管理施設サーバ（５０）との間で、前記放射性固体廃棄物の管理を行う放射性固体廃棄物管理方法であって、
前記放射性固体廃棄物を前記発送元事業所から前記輸送船により前記放射性廃棄物管理施設に運搬する際に、前記放射性固体廃棄物の管理データと前記発送元事業所サーバ、前記輸送船サーバおよび前記放射性廃棄物管理施設サーバにおける前記放射性固体廃棄物のステータスとを、前記発送元事業所サーバ、前記輸送船サーバおよび前記放射性廃棄物管理施設サーバの少なくとも２つの前記記憶装置に、該発送元事業所サーバ、該輸送船サーバおよび該放射性廃棄物管理施設サーバの前記データ処理部および前記ステータス処理部によってそれぞれ格納するステップ（Ｓ１１〜Ｓ２４）を具備することを特徴とする、放射性固体廃棄物管理方法。
【請求項１０】
前記放射性廃棄物管理施設における前記放射性固体廃棄物の受入後に、前記放射性廃棄物管理施設サーバまたは前記発送元事業所サーバが、該放射性廃棄物管理施設サーバの前記記憶装置に格納されている前記放射性固体廃棄物の管理データおよびステータスと該発送元事業所サーバの前記記憶装置に格納されている前記放射性固体廃棄物の管理データおよびステータスとの突合せチェックを定期的に行うステップ（Ｓ２５）をさらに具備することを特徴とする、請求項９記載の放射性固体廃棄物管理方法。
【請求項１１】
前記放射性固体廃棄物の運搬中に、前記放射性廃棄物管理施設サーバ、前記輸送船サーバおよび前記発送元事業所サーバの少なくとも２つがそれぞれ、該放射性廃棄物管理施設サーバの前記記憶装置に格納されている前記放射性固体廃棄物の管理データおよびステータスと、該輸送船サーバの前記記憶装置に格納されている前記放射性固体廃棄物の管理データおよびステータスと、該放射性廃棄物管理施設サーバの前記記憶装置に格納されている前記放射性固体廃棄物の管理データおよびステータスとの突合せチェックを任意に行うステップをさらに具備することを特徴とする、請求項９または１０いずれかに記載の放射性固体廃棄物管理方法。
【発明の詳細な説明】
【技術分野】
【０００１】
本発明は、放射性固体廃棄物管理システムおよび放射性固体廃棄物管理方法に関し、特に、電力会社の原子力発電所から生じる放射性固体廃棄物を輸送船により放射性廃棄物管理施設（最終処分場）まで運搬して保管するまでの管理に好適な放射性固体廃棄物管理システムおよび放射性固体廃棄物管理方法に関する。
【背景技術】
【０００２】
電力会社においては、たとえば、原子力発電所で発生した放射性気体廃棄物（放射性物質を含んだ気体の廃棄物）および放射性液体廃棄物（放射性物質を含んだ液体の廃棄物）は、原子力発電所内の廃棄物処理設備で安全に処理したのち、安全を確認した上で放出している。また、原子力発電所で発生した放射性固体廃棄物（原子力発電所で使用したフィルターおよび作業に使った紙や布などを圧縮・焼却したもの（低レベル放射性廃棄物）をドラム缶に詰めたもの。）は、たとえば、原子力発電所内の固体廃棄物貯蔵所で適切に保管したのち、専用の輸送船で放射性廃棄物管理施設（低レベル放射性廃棄物埋設センター）まで輸送して最終処分している。
【０００３】
したがって、放射性気体廃棄物および放射性液体廃棄物については、原子力発電所内で最終的に放出されるため、原子力発電所内で管理すれば足りるが、放射性固体廃棄物については、原子力発電所内で最終処分されるとは限らないために、原子力発電所内での管理では足りず、輸送船による運搬を含めた放射性廃棄物管理施設における最終処分までの管理が必要である。
【０００４】
なお、下記の特許文献１には、物流の状況をリアルタイムで適確に把握することを可能にするために、物品を包装した追跡機能搭載パッケージが備える非接触シングルチップにトレーサビリティデータを無線で書き込み、物品が管理地点を通過する度に、物品を包装した追跡機能搭載パッケージが備える非接触シングルチップに記憶されたトレーサビリティデータを無線で読込むとともに、このトレーサビリティデータを通信回線を介して記憶し、これら記憶されたトレーサビリティデータを利用することにより物流の状況を把握する物流追跡システムが開示されている。
【０００５】
また、下記の特許文献２には、消費者が農作物の生産から加工を経て消費者に届くまでのトレーサビリティを容易に閲覧できて農作物を安心して消費できるようにするために、生産者端末に入力された農作物の生産情報を通信網を介して運営サイトサーバに送信して記憶し、一次加工業者端末に入力された農作物の一次加工情報を通信網を介して運営サイトサーバに送信して記憶し、二次加工業者端末に入力された農作物の二次加工情報を通信網を介して運営サイトサーバに送信して記憶して、運営サイトサーバで生産情報、一次加工情報及び二次加工情報を関連付けて流通トレーサビリティ情報として生成し、この生成された流通トレーサビリティ情報を運営サイトサーバから通信網を介して消費者端末に送信して表示する農作物流通システムが開示されている。
【特許文献１】特開２０００−２３３８０８号公報
【特許文献２】特開２００４−０７８７４３号公報
【発明の開示】
【発明が解決しようとする課題】
【０００６】
放射性固体廃棄物についても、原子力発電所から放射性廃棄物管理施設までの管理を上述した特許文献１，２に開示されているようなホストコンピュータを用いた一括管理とすることも考えられる。しかしながら、このようなホストコンピュータを用いた一括管理では、たとえば、ホストコンピュータに障害が起きた場合には、放射性固体廃棄物の管理機能が喪失してしまうという問題と、その回復に時間を要するという問題とがある。
【０００７】
本発明の目的は、放射性固体廃棄物の放射性廃棄物管理施設までの管理を確実に行うことができる放射性固体廃棄物管理システムおよび放射性固体廃棄物管理方法を提供することにある。
【課題を解決するための手段】
【０００８】
本発明の放射性固体廃棄物管理システム（１）は、放射性固体廃棄物の発送元事業所に設けられた発送元事業所サーバ（１０）と、該発送元事業所サーバと通信回線（６０）を介して相互に接続された、かつ、前記放射性固体廃棄物を輸送する輸送船に設けられた輸送船サーバ（４０）と、前記発送元事業所サーバおよび前記輸送船サーバと前記通信回線を介して相互に接続された、かつ、放射性廃棄物管理施設に設けられた放射性廃棄物管理施設サーバ（５０）とを具備する放射性固体廃棄物管理システムであって、前記発送元事業所サーバ、前記輸送船サーバおよび前記放射性廃棄物管理施設サーバがそれぞれ、前記放射性固体廃棄物の管理データを処理するデータ処理部（１１，４１，５１）と、前記発送元事業所サーバ、前記輸送船サーバおよび前記放射性廃棄物管理施設サーバにおける前記放射性固体廃棄物のステータスを処理するステータス処理部（１２，４２，５２）と、前記放射性固体廃棄物の管理データおよびステータスを送受信するためのデータ送受信部（１３，４３，５３）と、前記放射性固体廃棄物の管理データおよびステータスを格納するための記憶装置（１５，４５，５５）とを備え、前記放射性固体廃棄物を前記発送元事業所から前記輸送船により前記放射性廃棄物管理施設に運搬する際に、前記放射性固体廃棄物の管理データおよびステータスが、前記発送元事業所サーバ、前記輸送船サーバおよび前記放射性廃棄物管理施設サーバの少なくとも２つの前記記憶装置に、該発送元事業所サーバ、該輸送船サーバおよび該放射性廃棄物管理施設サーバの前記データ処理部および前記ステータス処理部によってそれぞれ格納されることを特徴とする。
ここで、前記発送元事業所サーバの前記データ処理部が、外部から入力される前記放射性固体廃棄物の管理データを該発送元事業所サーバの前記記憶装置に格納し、前記発送元事業所において前記放射性固体廃棄物を前記輸送船に運搬するための発送処理がなされると、前記発送元事業所サーバの前記ステータス処理部が、該発送元事業所サーバ、前記輸送船サーバおよび前記放射性廃棄物管理施設サーバおける前記放射性固体廃棄物のステータスを該発送元事業所サーバの前記記憶装置に格納し、前記発送元事業所サーバの前記データ送受信部が、該発送元事業所サーバの前記記憶装置に格納されている前記放射性固体廃棄物の管理データおよびステータスを前記輸送船サーバおよび前記放射性廃棄物管理施設サーバに送信し、前記輸送船サーバおよび前記放射性廃棄物管理施設サーバの前記データ処理部および前記ステータス処理部が、前記発送元事業所サーバから送信されてくる前記放射性固体廃棄物の管理データおよびステータスを、該輸送船サーバおよび該放射性廃棄物管理施設サーバの前記記憶装置にそれぞれ格納してもよい。
前記輸送船において該放射性固体廃棄物の受入処理がなされると、前記輸送船サーバの前記データ処理部が、外部から入力される輸送船受入年月日データを前記放射性固体廃棄物の管理データに追加して該輸送船サーバの前記記憶装置に格納し、前記輸送船サーバの前記ステータス処理部が、前記発送元事業所サーバ、前記輸送船サーバおよび前記放射性廃棄物管理施設サーバにおける前記放射性固体廃棄物のステータスをそれぞれ書き換えて、該輸送船サーバの前記記憶装置に格納し、前記輸送船サーバの前記データ送受信部が、該輸送船サーバの前記記憶装置に格納されている前記放射性固体廃棄物の管理データおよびステータスを前記発送元事業所サーバおよび前記放射性廃棄物管理施設サーバに送信し、前記発送元事業所サーバおよび前記放射性廃棄物管理施設サーバの前記データ処理部および前記ステータス処理部が、該発送元事業所サーバおよび該放射性廃棄物管理施設サーバの前記記憶装置にそれぞれ格納されている前記放射性固体廃棄物の管理データおよびステータスを、前記輸送船サーバから送信されてくる前記放射性固体廃棄物の管理データおよびステータスに書き換えてもよい。
前記輸送船が前記放射性廃棄物管理施設に到着して前記放射性固体廃棄物の荷降し処理がなされると、前記輸送船サーバの前記データ処理部が、外部から入力される輸送船荷降し年月日データを前記放射性固体廃棄物の管理データに追加して該輸送船サーバの前記記憶装置に格納し、前記輸送船サーバの前記ステータス処理部が、前記発送元事業所サーバ、前記輸送船サーバおよび前記放射性廃棄物管理施設サーバにおける前記放射性固体廃棄物のステータスをそれぞれ書き換えて、該輸送船サーバの前記記憶装置に格納し、前記輸送船サーバの前記データ送受信部が、該輸送船サーバの前記記憶装置に格納されている前記放射性固体廃棄物の管理データおよびステータスを前記発送元事業所サーバおよび前記放射性廃棄物管理施設サーバに送信し、前記発送元事業所サーバおよび前記放射性廃棄物管理施設サーバの前記データ処理部および前記ステータス処理部が、該発送元事業所サーバおよび該放射性廃棄物管理施設サーバの前記記憶装置にそれぞれ格納されている前記放射性固体廃棄物の管理データおよびステータスを、前記輸送船サーバから送信されてくる前記放射性固体廃棄物の管理データおよびステータスに書き換えてもよい。
前記放射性廃棄物管理施設において前記放射性固体廃棄物の受入処理がなされると、前記放射性廃棄物管理施設サーバの前記データ処理部が、外部から入力される受入先受入年月日データを前記放射性固体廃棄物の管理データに追加して該放射性廃棄物管理施設サーバの前記記憶装置に格納し、前記放射性廃棄物管理施設サーバの前記ステータス処理部が、前記発送元事業所サーバおよび前記放射性廃棄物管理施設サーバにおける前記放射性固体廃棄物のステータスをそれぞれ書き換えるとともに、前記輸送船サーバにおける前記放射性固体廃棄物のステータスを削除して、該放射性廃棄物管理施設サーバの前記記憶装置に格納し、前記放射性廃棄物管理施設サーバの前記データ送受信部が、該放射性廃棄物管理施設サーバの前記記憶装置に格納されている前記放射性固体廃棄物の管理データおよびステータスを前記発送元事業所サーバに送信するとともに、データ削除指示信号を前記輸送船サーバに送信し、前記発送元事業所サーバの前記データ処理部および前記ステータス処理部が、該発送元事業所サーバの前記記憶装置に格納されている前記放射性固体廃棄物の管理データおよびステータスを、前記放射性廃棄物管理施設サーバから送信されてくる前記放射性固体廃棄物の管理データおよびステータスに書き換え、前記輸送船サーバの前記データ処理部および前記ステータス処理部が、前記放射性廃棄物管理施設サーバから前記データ削除指示信号を受信すると、該輸送船サーバの前記記憶装置に格納されている前記放射性固体廃棄物の管理データおよびステータスを削除してもよい。
前記放射性廃棄物管理施設サーバがデータチェック部（５４）をさらに備え、前記放射性廃棄物管理施設において前記放射性固体廃棄物の受入処理がなされると、前記データチェック部が、前記発送元事業所サーバに対して該発送元事業所サーバの前記記憶装置に格納されている前記放射性固体廃棄物の管理データおよびステータスを前記放射性廃棄物管理施設サーバに送信させたのち、該発送元事業所サーバから受信した前記放射性固体廃棄物の管理データおよびステータスと、該放射性廃棄物管理施設サーバの前記記憶装置に格納されている前記放射性固体廃棄物の管理データおよびステータスとの突合せチェックを行ってもよい。
前記放射性廃棄物管理施設における前記放射性固体廃棄物の受入後に、前記放射性廃棄物管理施設サーバまたは前記発送元事業所サーバが、該放射性廃棄物管理施設サーバの前記記憶装置に格納されている前記放射性固体廃棄物の管理データおよびステータスと該発送元事業所サーバの前記記憶装置に格納されている前記放射性固体廃棄物の管理データおよびステータスとの突合せチェックを定期的に行ってもよい。
前記放射性固体廃棄物の運搬中に、前記放射性廃棄物管理施設サーバ、前記輸送船サーバおよび前記発送元事業所サーバの少なくとも２つがそれぞれ、該放射性廃棄物管理施設サーバの前記記憶装置に格納されている前記放射性固体廃棄物の管理データおよびステータスと、該輸送船サーバの前記記憶装置に格納されている前記放射性固体廃棄物の管理データおよびステータスと、該放射性廃棄物管理施設サーバの前記記憶装置に格納されている前記放射性固体廃棄物の管理データおよびステータスとの突合せチェックを任意に行ってもよい。
【０００９】
本発明の放射性固体廃棄物管理方法は、放射性固体廃棄物の発送元事業所に設けられた発送元事業所サーバ（１０）と、該発送元事業所サーバと通信回線（６０）を介して相互に接続された、かつ、前記放射性固体廃棄物を輸送する輸送船に設けられた輸送船サーバ（４０）と、前記発送元事業所サーバおよび前記輸送船サーバと前記通信回線を介して相互に接続された、かつ、放射性廃棄物管理施設に設けられた放射性廃棄物管理施設サーバ（５０）との間で、前記放射性固体廃棄物の管理を行う放射性固体廃棄物管理方法であって、前記放射性固体廃棄物を前記発送元事業所から前記輸送船により前記放射性廃棄物管理施設に運搬する際に、前記放射性固体廃棄物の管理データと前記発送元事業所サーバ、前記輸送船サーバおよび前記放射性廃棄物管理施設サーバにおける前記放射性固体廃棄物のステータスとを、前記発送元事業所サーバ、前記輸送船サーバおよび前記放射性廃棄物管理施設サーバの少なくとも２つの前記記憶装置に、該発送元事業所サーバ、該輸送船サーバおよび該放射性廃棄物管理施設サーバの前記データ処理部および前記ステータス処理部によってそれぞれ格納するステップ（Ｓ１１〜Ｓ２４）を具備することを特徴とする。
前記放射性廃棄物管理施設における前記放射性固体廃棄物の受入後に、前記放射性廃棄物管理施設サーバまたは前記発送元事業所サーバが、該放射性廃棄物管理施設サーバの前記記憶装置に格納されている前記放射性固体廃棄物の管理データおよびステータスと該発送元事業所サーバの前記記憶装置に格納されている前記放射性固体廃棄物の管理データおよびステータスとの突合せチェックを定期的に行うステップ（Ｓ２５）をさらに具備してもよい。
前記放射性固体廃棄物の運搬中に、前記放射性廃棄物管理施設サーバ、前記輸送船サーバおよび前記発送元事業所サーバの少なくとも２つがそれぞれ、該放射性廃棄物管理施設サーバの前記記憶装置に格納されている前記放射性固体廃棄物の管理データおよびステータスと、該輸送船サーバの前記記憶装置に格納されている前記放射性固体廃棄物の管理データおよびステータスと、該放射性廃棄物管理施設サーバの前記記憶装置に格納されている前記放射性固体廃棄物の管理データおよびステータスとの突合せチェックを任意に行うステップをさらに具備してもよい。
【発明の効果】
【００１０】
本発明の放射性固体廃棄物管理システムおよび放射性固体廃棄物管理方法は、以下の効果を奏する。
（１）放射性固体廃棄物を発送元事業所から輸送船により放射性廃棄物管理施設に運搬する際に、放射性固体廃棄物の管理データおよびステータスを発送元事業所サーバ、輸送船サーバおよび放射性廃棄物管理施設サーバの少なくとも２つの記憶装置に格納することにより、発送元事業所サーバ、輸送船サーバおよび放射性廃棄物管理施設サーバのいずれかに障害が起きた場合でも放射性固体廃棄物の管理データおよびステータスが消失することはないので、放射性固体廃棄物の放射性廃棄物管理施設までの管理を確実に行うことができる。
（２）放射性廃棄物管理施設における放射性固体廃棄物の受入後に、放射性廃棄物管理施設サーバの記憶装置に格納されている放射性固体廃棄物の管理データおよびステータスと発送元事業所サーバの記憶装置に格納されている放射性固体廃棄物の管理データおよびステータスとの突合せチェックを定期的に行うことにより、管理データの確度をより保証することができる。
【発明を実施するための最良の形態】
【００１１】
放射性固体廃棄物の放射性廃棄物管理施設までの管理を確実に行うという目的を、放射性固体廃棄物を発送元事業所から輸送船により放射性廃棄物管理施設に運搬する際に、放射性固体廃棄物の管理データおよびステータスを発送元事業所サーバ、輸送船サーバおよび放射性廃棄物管理施設サーバの少なくとも２つの記憶装置に格納することにより実現した。
【実施例１】
【００１２】
以下、本発明の放射性固体廃棄物管理システムおよび放射性固体廃棄物管理方法の実施例について、図面を参照して説明する。
本発明の一実施例による放射性固体廃棄物管理システム１は、図１に示すように、Ａ電力会社のａ原子力発電所に設けられた発電所サーバ１０（発送元事業所サーバ）と、Ｄ輸送会社に所属するｄ輸送船に設けられた輸送船サーバ４０と、Ｅ管理会社のｅ放射性廃棄物管理施設（放射性固体廃棄物の最終処分場）に設けられた放射性廃棄物管理施設サーバ５０とを具備する。ここで、発電所サーバ１０と輸送船サーバ４０と放射性廃棄物管理施設サーバ５０とは、通信回線６０を介して相互に接続されている。
【００１３】
発電所サーバ１０は、放射性固体廃棄物を管理するための管理データ（放射性固体廃棄物の管理データ）を処理するデータ処理部１１と、発電所サーバ１０、輸送船サーバ４０および放射性廃棄物管理施設サーバ５０における放射性固体廃棄物のステータスを処理するステータス処理部１２と、輸送船サーバ４０および放射性廃棄物管理施設サーバ５０との間で通信回線６０を介して放射性固体廃棄物の管理データおよびステータスなどを送受信するためのデータ送受信部１３と、輸送船サーバ４０および放射性廃棄物管理施設サーバ５０との間で放射性固体廃棄物の管理データおよびステータス（管理データ表およびステータス表）の突合せチェックを行うデータチェック部１４と、放射性固体廃棄物の管理データおよびステータスなどを格納するための記憶装置１５とを備える。
【００１４】
本実施例による放射性固体廃棄物管理システム１では、放射性固体廃棄物の管理データは、以下に示すデータが記載された管理データ表として記憶装置１５に格納される。
（１）放射性固体廃棄物（ドラム缶）の番号を表わすドラム缶番号データ
（２）放射性固体廃棄物（ドラム缶）に充填された内容物を表わす内容物データ
（３）放射性固体廃棄物を発送した発送元会社名（たとえば、電力会社名）を表わす発送元会社名データ
（４）放射性固体廃棄物を発送した発送元事業所名（たとえば、原子力発電所名）を表わす発送元事業所名データ
（５）放射性固体廃棄物を発送した年月日を表わす発送年月日データ
（６）放射性固体廃棄物を輸送する輸送船が所属する輸送船所属会社名を表わす輸送船所属会社名データ
（７）放射性固体廃棄物を輸送する輸送船名を表わす輸送船名データ
（８）輸送船が発送元事業所から放射性固体廃棄物を受け入れた年月日を表わす輸送船受入年月日データ
（９）放射性固体廃棄物を輸送船から降ろした年月日を表わす輸送船荷降し年月日データ
（１０）輸送船の過去の輸送実績を表わす輸送実績データ
（１１）輸送船から放射性固体廃棄物を受け入れた放射性廃棄物管理施設が所属する管理会社を表わす受入先会社名
（１２）輸送船から放射性固体廃棄物を受け入れた放射性廃棄物管理施設を表わす受入先事業所名
（１３）放射性廃棄物管理施設が輸送船から放射性固体廃棄物を受け入れた年月日を表わす受入先受入年月日データ
【００１５】
また、放射性固体廃棄物のステータスは、以下に示すステータスが発電所サーバ１０、輸送船サーバ４０および放射性廃棄物管理施設サーバ５０ごとに記載されたステータス表として記憶装置１５に格納される
（１）「発送中」、「受入中」および「先方発送中」：発送元事業所が放射性固体廃棄物を発送したことを表わすステータス
（２）「受入済・輸送中」および「発送済・輸送中」：輸送船が発送元事業所から放射性固体廃棄物を受け入れたことを表わすステータス
（３）「荷降し中」：輸送船が放射性固体廃棄物を荷降ししたことを表わすステータス
（４）「受入済」および「先方受入済」：放射性廃棄物管理施設が輸送船から放射性固体廃棄物を受け入れたことを表わすステータス
【００１６】
輸送船サーバ４０は、データ処理部４１と、ステータス処理部４２と、データ送受信部４３と、データチェック部４４と、記憶装置４５とを備える。データ処理部４１、ステータス処理部４２、データ送受信部４３および記憶装置４５は、上述した発電所サーバ１０のデータ処理部１１、ステータス処理部１２、データ送受信部１３および記憶装置１５と同様の機能を有する。データチェック部４４は、発電所サーバ１０および放射性廃棄物管理施設サーバ５０との間で放射性固体廃棄物の管理データおよびステータス（管理データ表およびステータス表）の突合せチェックを行う。
放射性廃棄物管理施設サーバ５０は、データ処理部５１と、ステータス処理部５２と、データ送受信部５３と、データチェック部５４と、記憶装置５５とを備える。データ処理部５１、ステータス処理部５２、データ送受信部５３および記憶装置５５は、上述した発電所サーバ１０のデータ処理部１１、ステータス処理部１２、データ送受信部１３および記憶装置１５と同様の機能を有する。データチェック部５４は、発電所サーバ１０および輸送船サーバ４０との間で放射性固体廃棄物の管理データおよびステータス（管理データ表およびステータス表）の突合せチェックを行う。
【００１７】
次に、本実施例による放射性固体廃棄物管理システム１の動作（本発明の一実施例による放射性固体廃棄物管理方法）について、平成１７年５月１０日に、Ａ電力会社のａ原子力発電所の放射性固体廃棄物（ドラム缶）貯蔵庫からＤ輸送会社に所属するｄ輸送船でＥ管理会社のｅ放射性廃棄物管理施設に放射性固体廃棄物（ドラム缶番号＝ａ１１および内容物＝使用済みのフィルター）を運搬する場合を例として、図２から図４に示すフローチャートを参照して説明する。
【００１８】
上述した放射性固体廃棄物の管理データが、この放射性固体廃棄物を発送する発送元事業所であるａ原子力発電所に設けられた発電所サーバ１０に第１の入力装置（不図示）を用いて入力される。発電所サーバ１０のデータ処理部１１は、入力された放射性固体廃棄物の管理データに基づいて表１に示すような管理データ表を作成したのち、作成した管理データ表を記憶装置１５に格納する（ステップＳ１１）。なお、この段階では、輸送船受入年月日データ、輸送船荷降し年月日データおよび受入先受入年月日データは入力されない。
【表１】
2006349622.tif 000003
【００１９】
ａ原子力発電所においてこの放射性固体廃棄物を放射性固体廃棄物貯蔵庫からｄ輸送船に運搬するための発送処理がなされると、発電所サーバ１０のステータス処理部１２は、発電所サーバ１０、輸送船サーバ４０および放射性廃棄物管理施設サーバ５０におけるこの放射性固体廃棄物のステータスをそれぞれ「発送中」、「受入中」および「先方発送中」とした表２に示すようなステータス表を作成して、作成したステータス表を記憶装置１５に格納する（ステップＳ１２）。
【表２】
2006349622.tif 000004
【００２０】
続いて、発電所サーバ１０のデータ送受信部１３は、記憶装置１５に格納されているこの放射性固体廃棄物の管理データ表およびステータス表を読み出して、読み出した管理データ表およびステータス表を、この管理データ表の「輸送船名データ」として記載されているｄ輸送船に設けられた輸送船サーバ４０とこの管理データ表の「受入先事業所名データ」として記載されているｅ放射性廃棄物管理施設に設けられた放射性廃棄物管理施設サーバ５０とに通信回線６０を介して送信する（ステップＳ１３）。
【００２１】
輸送船サーバ４０および放射性廃棄物管理施設サーバ５０のデータ処理部４１，５１およびステータス処理部４２，５２は、発電所サーバ１０からデータ送受信部４３，５３を介して受信した管理データ表およびステータス表を記憶装置４５，５５にそれぞれ格納する（ステップＳ１４）。
【００２２】
その後、平成１７年５月１５日にｄ輸送船においてこの放射性固体廃棄物の受入処理がなされると、この放射性固体廃棄物のドラム缶番号データ「ａ１１」と輸送船受入年月日データ「平成１７年５月１５日」とが、第２の入力装置（不図示）を用いて輸送船サーバ４０に入力される。
輸送船サーバ４０のデータ処理部４１は、入力されたドラム缶番号データ「ａ１１」に基づいてこの放射性固体廃棄物の管理データ表を記憶装置４５から読み出し、読み出した管理データ表の「輸送船受入年月日データ」を「平成１７年５月１５日」とした（すなわち、輸送船受入年月日データをこの放射性固体廃棄物の管理データに追加した）のち、管理データ表を記憶装置４５に格納する。
【００２３】
また、輸送船サーバ４０のステータス処理部４２は、入力されたドラム缶番号データ「ａ１１」に基づいてこの放射性固体廃棄物のステータス表を記憶装置４５から読み出し、読み出したステータス表の発電所サーバ１０におけるこの放射性固体廃棄物のステータスを「発送中」から「発送済・輸送中」に書き換え、輸送船サーバ４０におけるこの放射性固体廃棄物のステータスを「受入中」から「受入済・輸送中」に書き換えるとともに、放射性廃棄物管理施設サーバ５０におけるこの放射性固体廃棄物のステータスを「先方発送中」から「輸送中」に書き換えたのち（表３参照）、ステータス表を記憶装置４５に格納する（以上、ステップＳ１５）。
【表３】
2006349622.tif 000005
【００２４】
続いて、輸送船サーバ４０のデータ送受信部４３は、記憶装置４５に格納されているこの放射性固体廃棄物の管理データ表およびステータス表を読み出して、読み出した管理データ表およびステータス表を、この管理データ表の「発送元事業所名データ」として記載されているａ原子力発電所に設けられた発電所サーバ１０とこの管理データ表の「受入先事業所名データ」として記載されているｅ放射性廃棄物管理施設に設けられた放射性廃棄物管理施設サーバ５０とに通信回線６０を介して送信する（ステップＳ１６）。
【００２５】
発電所サーバ１０および放射性廃棄物管理施設サーバ５０のデータ処理部１１，５１およびステータス処理部１２，５２は、輸送船サーバ４０からデータ送受信部１３，５３を介して受信した管理データ表に記載されているドラム缶番号データ「ａ１１」に基づいてこの放射性固体廃棄物の管理データ表およびステータス表を記憶装置１５，５５から読み出して、読み出したこの放射性固体廃棄物の管理データ表およびステータス表を、輸送船サーバ４０から受信した管理データ表およびステータス表に書き換えたのち、管理データ表およびステータス表を記憶装置１５，５５にそれぞれ格納する（ステップＳ１７）。
【００２６】
その後、平成１７年５月３１日にｄ輸送船がｅ放射性廃棄物管理施設に到着したのち、平成１７年６月７日にこの放射性固体廃棄物の荷降し処理がなされると、この放射性固体廃棄物のドラム缶番号データ「ａ１１」と輸送船荷降し年月日データ「平成１７年６月７日」が、第２の入力装置を用いて輸送船サーバ４０に入力される。
輸送船サーバ４０のデータ処理部４１は、入力されたドラム缶番号データ「ａ１１」に基づいてこの放射性固体廃棄物の管理データ表を記憶装置４５から読み出し、読み出した管理データ表の「輸送船荷降し年月日データ」を「平成１７年６月７日」とした（すなわち、輸送船荷降し年月日データをこの放射性固体廃棄物の管理データに追加した）のち、管理データ表を記憶装置４５に格納する。
【００２７】
また、輸送船サーバ４０のステータス処理部４２は、入力されたドラム缶番号データ「ａ１１」に基づいてこの放射性固体廃棄物のステータス表を記憶装置４５から読み出し、読み出したステータス表の発電所サーバ１０におけるこの放射性固体廃棄物のステータスを「発送済・輸送中」から「荷降し中」に書き換え、輸送船サーバ４０におけるこの放射性固体廃棄物のステータスを「受入済・輸送中」から「荷降し中」に書き換えるとともに、放射性廃棄物管理施設サーバ５０におけるこの放射性固体廃棄物のステータスを「輸送中」から「荷降し中」に書き換えたのち（表４参照）、ステータス表を記憶装置４５に格納する（以上、ステップＳ１８）。
【表４】
2006349622.tif 000006
【００２８】
続いて、輸送船サーバ４０のデータ送受信部４３は、記憶装置４５に格納されているこの放射性固体廃棄物の管理データ表およびステータス表を読み出して、読み出した管理データ表およびステータス表を、この管理データ表の「発送元事業所名データ」として記載されているａ原子力発電所に設けられた発電所サーバ１０とこの管理データ表の「受入先事業所名データ」として記載されているｅ放射性廃棄物管理施設に設けられた放射性廃棄物管理施設サーバ５０とに通信回線６０を介して送信する（ステップＳ１９）。
【００２９】
発電所サーバ１０および放射性廃棄物管理施設サーバ５０のデータ処理部１１，５１およびステータス処理部１２，５２は、輸送船サーバ４０からデータ送受信部１３，５３を介して受信した管理データ表に記載されているドラム缶番号データ「ａ１１」に基づいてこの放射性固体廃棄物の管理データ表およびステータス表を記憶装置１５，５５からそれぞれ読み出して、読み出した管理データ表およびステータス表を、輸送船サーバ４０から送信されてくる管理データ表およびステータス表に書き換えたのち、管理データ表およびステータス表を記憶装置１５，５５にそれぞれ格納する（ステップＳ２０）。
【００３０】
その後、平成１７年６月１０日にｅ放射性廃棄物管理施設においてこの放射性固体廃棄物の受入処理がなされると、この放射性固体廃棄物のドラム缶番号データ「ａ１１」と受入先受入年月日データ「平成１７年６月１０日」が、第３の入力装置（不図示）を用いて放射性廃棄物管理施設サーバ５０に入力される。
放射性廃棄物管理施設サーバ５０のデータチェック部５４は、入力されたドラム缶番号データ「ａ１１」に基づいて記憶装置５５からこの放射性固体廃棄物の管理データ表を読出したのち、読み出した管理データ表の「発送元事業所名データ」として記載されているａ原子力発電所に設けられた発電所サーバ１０に、この放射性固体廃棄物の管理データ表およびステータス表の送信を要求する送信要求信号（この放射性固体廃棄物のドラム缶番号データ「ａ１１」を含む。）をデータ送受信部５３および通信回線６０を介して送信する。
【００３１】
発電所サーバ１０のデータ送受信部１３は、放射性廃棄物管理施設サーバ５０から送信されてくる送信要求信号に応じて、この送信要求信号に含まれているこの放射性固体廃棄物のドラム缶番号データ「ａ１１」に基づいて記憶装置１５からこの放射性固体廃棄物の管理データ表およびステータス表を読み出して、通信回線６０を介して放射性廃棄物管理施設サーバ５０に送信する。
放射性廃棄物管理施設サーバ５０のデータチェック部５４は、この放射性固体廃棄物の管理データ表およびステータス表を発電所サーバ１０からデータ送受信部５３を介して受信すると、受信した管理データ表に記載されているこの放射性固体廃棄物のドラム缶番号データ「ａ１１」に基づいて記憶装置５５からこの放射性固体廃棄物の管理データ表およびステータス表を読み出して、受信した管理データ表およびステータス表と読み出した管理データ表およびステータス表との突合せチェックを行う。この突合せチェックの結果、両者が一致すると、データチェック部５４は、その旨とこの放射性固体廃棄物のドラム缶番号データ「ａ１１」と受入先受入年月日データ「平成１７年６月１０日」とをデータ処理部５１に送るとともに、その旨とこの放射性固体廃棄物のドラム缶番号データ「ａ１１」とをステータス処理部５２に送る（以上、ステップＳ２１）。
【００３２】
データ処理部５１は、両者が一致した旨とこの放射性固体廃棄物のドラム缶番号データ「ａ１１」と受入先受入年月日データ「平成１７年６月１０日」とをデータチェック部５４から受け取ると、ドラム缶番号データ「ａ１１」に基づいて記憶装置５５からこの放射性固体廃棄物の管理データ表を読み出し、読み出した管理データ表の「受入先受入年月日データ」を「平成１７年６月１０日」としたのち、管理データ表を記憶装置５５に格納する。
【００３３】
また、ステータス処理部５２は、両者が一致した旨とこの放射性固体廃棄物のドラム缶番号データ「ａ１１」とをデータチェック部５４から受け取ると、ドラム缶番号データ「ａ１１」に基づいて記憶装置５５からこの放射性固体廃棄物のステータス表を読み出し、読み出したステータス表の発電所サーバ１０におけるこの放射性固体廃棄物のステータスを「荷降し中」から「先方受入済」に書き換え、輸送船サーバ４０におけるこの放射性固体廃棄物のステータスを削除するとともに、放射性廃棄物管理施設サーバ５０におけるこの放射性固体廃棄物のステータスを「荷降し中」から「受入済」に書き換えたのち（表５参照）、ステータス表を記憶装置５５に格納する（以上、ステップＳ２２）。
【表５】
2006349622.tif 000007
【００３４】
続いて、放射性廃棄物管理施設サーバ５０のデータ送受信部５３は、入力されたこの放射性固体廃棄物のドラム缶番号データ「ａ１１」に基づいて記憶装置５５からこの放射性固体廃棄物の管理データ表およびステータス表を読み出して、読み出した管理データ表およびステータス表を、この管理データ表の「発送元事業所名データ」として記載されているａ原子力発電所に設けられた発電所サーバ１０に通信回線６０を介して送信する。また、データ送受信部５３は、データ削除指示信号（この放射性固体廃棄物のドラム缶番号データ「ａ１１」を含む。）を、この管理データ表の「輸送船名データ」として記載されているｄ輸送船に設けられた輸送船サーバ４０に通信回線６０を介して送信する（ステップＳ２３）。
【００３５】
発電所サーバ１０のデータ処理部１１およびステータス処理部１２は、放射性廃棄物管理施設サーバ５０からデータ送受信部１３を介して受信した管理データ表に記載されているドラム缶番号データ「ａ１１」に基づいて記憶装置１５からこの放射性固体廃棄物の管理データ表およびステータス表を読み出して、読み出したこの放射性固体廃棄物の管理データ表およびステータス表を、放射性廃棄物管理施設サーバ５０から受信した管理データ表およびステータス表に書き換えたのち、管理データ表およびステータス表を記憶装置１５に格納する。
また、輸送船サーバ３０のデータ処理部４１およびステータス処理部４２は、放射性廃棄物管理施設サーバ５０からデータ送受信部４３を介してデータ削除指示信号を受信すると、受信したデータ削除指示信号に含まれているドラム缶番号データ「ａ１１」に基づいて、記憶装置４５に格納されているこの放射性固体廃棄物の管理データ表およびステータス表を削除する（以上、ステップＳ２４）。
【００３６】
その後、発電所サーバ１０のデータチェック部１４および放射性廃棄物管理施設サーバ５０のデータチェック部５４はそれぞれ、この放射性固体廃棄物の管理データ表およびステータス表の送信を要求する送信要求信号を定期的に放射性廃棄物管理施設サーバ５０および発電所サーバ１０に送信することにより、上述したステップＳ２１で述べたような突合せチェックを行う（ステップＳ２５）。これにより、この放射性固体廃棄物の管理データをこの放射性固体廃棄物の発送元および受入先の両方が持ち、かつ、相互の管理データの整合を定期的に取ることができるので、管理データの確度を保証することができる。
【００３７】
なお、ａ原子力発電所からｄ輸送船によりｅ放射性廃棄物管理施設への放射性固体廃棄物の運搬中に、発電所サーバ１０のデータチェック部１４、輸送船サーバ４０のデータチェック部４４および放射性廃棄物管理施設サーバ５０のデータチェック部５４の少なくとも２つがそれぞれ、上述したステップＳ２１で述べたような突合せチェックを任意に行うことにより、放射性固体廃棄物の運搬中における管理データの確度を保証するようにしてもよい。
【００３８】
以上の説明では、放射性固体廃棄物をａ原子力発電所（発送元事業所）からｄ輸送船によりｅ放射性廃棄物管理施設に運搬する際に、この放射性固体廃棄物の管理データおよびステータスが発電所サーバ１０（発送元事業所サーバ）、輸送船サーバ４０および放射性廃棄物管理施設サーバ５０の記憶装置１５，４４，５５に、発電所サーバ１０、輸送船サーバ４０および放射性廃棄物管理施設サーバ５０のデータ処理部１１，４１，５１およびステータス処理部１２，４２，５２によってそれぞれ格納されたが、発電所サーバ１０、輸送船サーバ４０および放射性廃棄物管理施設サーバ５０の少なくとも２つの記憶装置１５，４４，５５に格納されるようにしてもよい。
また、突合せチェックはこの放射性固体廃棄物の管理データ表およびステータス表の両方について行ったが、この放射性固体廃棄物の管理データ表についてのみ行ってもよい。
さらに、発電所サーバ１０、輸送船サーバ４０および放射性廃棄物管理施設サーバ５０をそれぞれ特定するサーバ識別子（たとえば、サーバ番号）を用いて、発電所サーバ１０、輸送船サーバ４０および放射性廃棄物管理施設サーバ５０において認証処理を行うようにしてもよい。
【産業上の利用可能性】
【００３９】
以上説明したように、本発明の放射性固体廃棄物管理システムおよび放射性固体廃棄物管理方法は、たとえば、電力会社の原子力発電所から生じる放射性固体廃棄物を輸送船により放射性廃棄物管理施設まで運搬して保管するまでの管理を行うのに利用することができる。
【図面の簡単な説明】
【００４０】
【図１】本発明の一実施例による放射性固体廃棄物管理システムの構成を示す図である。（実施例１）
【図２】図１に示した放射性固体廃棄物管理システム１の動作を説明するためのフローチャートである。（実施例１）
【図３】図１に示した放射性固体廃棄物管理システム１の動作を説明するためのフローチャートである。（実施例１）
【図４】図１に示した放射性固体廃棄物管理システム１の動作を説明するためのフローチャートである。（実施例１）
【符号の説明】
【００４１】
１  放射性固体廃棄物管理システム
１０  発電所サーバ
１１，４１，５１  データ処理部
１２，４２，５２  ステータス処理部
１３，４３，５３  データ送受信部
１４，４４，５４  データチェック部
１５，４５，５５  記憶装置
４０  輸送船サーバ
５０  放射性廃棄物管理施設サーバ
６０  通信回線
Ｓ１１〜Ｓ２５  ステップ
【図１】
2006349622.tif 000008
【図２】
2006349622.tif 000009
【図３】
2006349622.tif 000010
【図４】
2006349622.tif 000011